(57)【要約】【課題】プログラム書換え異常が発生しても、機器の保守作業に影響を与えず、かつ、保守作業費の増大を招かない監視端末用プログラムの書換えシステムの提供。【解決手段】ビルに設置された機器１、２の動作状態を監視端末用プログラムに従って監視する監視端末装置３、４に格納された監視端末用プログラムの書換え状態を監視する監視センター５と、監視端末装置３、４が使用しているプログラムのバージョンを監視端末装置３、４毎に管理し、監視端末装置３、４用の書換えプログラムを格納したプログラム管理データベース６Ａ及び機器１、２の保守作業予定日を格納した保守日情報データベース６Ｂを有する情報センター６とを含み、監視端末装置３、４に格納された監視端末用プログラムを、情報センター６から通信回線７を介して監視端末装置３、４に送信されてきた書換えプログラムに書換える書換え日時を、前記保守作業予定日に合わせて設定する。【選択図】図１
2008072330.tif 000002
【特許請求の範囲】
【請求項１】
ビルに設置された機器の動作状態を監視端末用プログラムに従って監視する監視端末装置と、この監視端末装置に格納されている前記監視端末用プログラムのプログラム書換え状態を少なくとも監視する監視センターと、前記監視端末装置用の書換えプログラムを格納したプログラム管理データベース及び前記ビルに設置された機器の保守作業予定日を格納した保守日情報データベースを有する情報センターとを含み、前記監視端末装置に格納されている監視端末用プログラムを、前記情報センターから通信回線を介して前記監視端末装置に送信されてきた書換えプログラムに書換える書換え日時を、前記保守作業予定日に合わせて設定するようにしたことを特徴とする監視端末用プログラムの書換えシステム。
【請求項２】
前記情報センターには、前記監視端末用の書換えプログラムを格納したプログラム管理データベースと、前記ビルに設置された機器の保守作業予定日を格納した保守日情報データベースと、この保守日情報データベースからの保守作業予定日に基づき前記監視端末用の書換えプログラムの書換え開始日時を作成する書換え開始日時作成部と、この書換え開始日時作成部により作成された書換え開始日時及び前記プログラム管理データベースから抽出した前記監視端末用の書換えプログラムを前記監視端末装置に送信する通信部とが、少なくとも設けられていることを特徴とする請求項１記載の監視端末用プログラムの書換えシステム。
【請求項３】
前記書換え日時を、前記機器の保守点検開始前の日時にとなるように設定したことを特徴とする請求項１若しくは２記載の監視端末用プログラムの書換えシステム。
【発明の詳細な説明】
【技術分野】
【０００１】
本発明は、ビルに設置された機器の動作状態を監視する監視端末装置に格納されている監視端末用プログラムの書換えシステムに関するものである。
【背景技術】
【０００２】
一般に、ビルには、昇降機、空調機器、照明機器、給排水機器などの各種機器が設置されている。そして、これら機器の動作状態を監視する監視端末装置を介して、遠隔地に設置された監視センターで監視するようにしている。そして、監視端末装置によって機器の動作状態を監視する場合には、監視端末装置の機器監視部に含まれる小形計算機（マイクロコンピューター）のＲＯＭに格納された監視端末用プログラムに基づき監視してその監視結果を監視センターに送信するようにしている。
【０００３】
ところが、機器の監視内容が変化するために、その変化に対応した監視端末用プログラムに換える必要がある。例えば、昇降機では、保全計画作業が年の経過につれて変更することや設備の監視内容が変化することがあるために、昇降機の動作状態を監視する監視端末装置に格納された監視端末用プログラムを、監視内容の変化に対応した新しい監視端末用の書換えプログラムに書換える必要があるし、また、空調機器では、夏季と冬季の監視内容が異なっているために、昇降機の動作状態あるいは空調機器の動作状態を監視する監視端末装置に格納された監視端末用プログラムを、夏季若しくは冬季に対応した監視端末用の書換えプログラムに書換える必要がある。
【０００４】
そこで、監視センターなどから監視端末装置に書換えプログラムを送信して、その書換えプログラムに、監視端末装置の機器監視部に含まれる小形計算機（マイクロコンピューター）のＲＯＭに格納された監視端末用プログラムを書換えるものが開発されている。さらに、各端末装置に格納した既設データを変更させるデータ変更システムとしては、データを変更しようとする時刻以前に、制御装置から各端末装置に変更時刻及び変更データを送信しておき、各端末装置に設けた時計手段により、現在時刻と変更時刻を比較して変更時刻になると各端末装置に格納した既設データを変更データに変更させるようにしたものが知られている（例えば、特許文献１参照）。
【特許文献１】特開平５−３１４０２９号公報
【発明の開示】
【発明が解決しようとする課題】
【０００５】
しかしながら、監視端末装置の機器監視部に格納された監視端末用プログラムを、監視センターなどから送信されてきた書換えプログラムに書換える際、その書換えに異常が発生した場合には、監視端末装置が設置されている現場に保守作業者が出動して、その異常を直す復旧作業を保守作業者が行わなければならない。その結果、機器の定期的に行う保守作業を実施す時以外に、書換え異常を直す復旧作業を行うために、現場に保守作業者が出動しなければならなくなるため、交通費などの費用が嵩むことになり、保守作業費の増大を招いてしまい、かつ、保守作業者の労力が増大してしまうとともに、機器の保守作業で現場に保守作業者が出動した際に書換え異常が発生していれば、本来予定されている機器の保守作業ができなくなってしまうという問題があった。また、上述した特開平５−３１４０２９号公報のように、データを変更しようとする時刻以前に、変更時刻及び変更データを送信しておき、変更時刻になったならば、各端末装置に格納した既設データを変更データに変更させるようにした場合であっても、その変更に異常が発生した場合には、やはり、その異常を直す復旧作業を行わなければならず、そのための保守作業者等の人員を確保する必要があり、保守作業費の増大を招いてしまうという問題があった。
【０００６】
本発明は、上述した問題点にかんがみなされたものであって、その目的は、プログラム書換え異常が発生しても、本来予定されている機器の保守作業に影響を与えることなく、しかも、保守作業費の増大を招くことのない監視端末用プログラムの書換えシステムを提供することにある。
【課題を解決するための手段】
【０００７】
上記目的を達成するために、本発明は、ビルに設置された機器の動作状態を監視端末用プログラムに従って監視する監視端末装置と、この監視端末装置に格納されている前記監視端末用プログラムのプログラム書換え状態を少なくとも監視する監視センターと、前記監視端末装置用の書換えプログラムを格納したプログラム管理データベース及び前記ビルに設置された機器の保守作業予定日を格納した保守日情報データベースを有する情報センターとを含み、前記監視端末装置に格納されている監視端末用プログラムを、前記情報センターから通信回線を介して前記監視端末装置に送信されてきた書換えプログラムに書換える書換え日時を、前記保守作業予定日に合わせて設定するようにしたことを特徴としている。
【０００８】
さらに、本発明は、前記情報センターに、前記監視端末用の書換えプログラムを格納したプログラム管理データベースと、前記ビルに設置された機器の保守作業予定日を格納した保守日情報データベースと、この保守日情報データベースからの保守作業予定日に基づき前記監視端末用の書換えプログラムの書換え開始日時を作成する書換え開始日時作成部と、この書換え開始日時作成部により作成された書換え開始日時及び前記プログラム管理データベースから抽出した前記監視端末用の書換えプログラムを前記監視端末装置に送信する通信部とを、少なくとも設けるようにしたことを特徴としている。
【０００９】
さらに、本発明は、前記書換え日時を、前記機器の保守点検開始前の日時となるように設定したことを特徴としている。
【発明の効果】
【００１０】
本発明によれば、監視端末装置に送信されてきた書換えプログラムを書換える書換え日時が、機器の保守作業予定日に合わせて設定されているので、万一、プログラム書換え異常が発生したとしても、その異常を直す復旧作業を機器の保守作業と合わせて行うことができ、しかも、書換え日時を、機器の保守作業予定日以前に設定することで、プログラム書換えを、本来予定されている機器の保守作業に影響を与えることなく行うことができ、保守作業費の増大を招くことのない監視端末用プログラムの書換えシステムが得られる。
【発明を実施するための最良の形態】
【００１１】
以下、本発明に係る監視端末用プログラムの書換えシステムの一実施形態を、図１〜図２に、基づいて説明する。図１は、本発明の一実施形態に係り、監視端末用プログラムの書換えシステム全体の機能ブロック図である。図２は、本発明の一実施形態に係り、監視端末用プログラムの書換えシステムによる書換え手順を示すフローチャートである。
【００１２】
図１に示す、本発明の一実施形態に係る監視端末用プログラムの書換えシステムは、ビル毎に設置された機器１、２の動作状態を監視端末用プログラムに従って監視する監視端末装置３、４と、この監視端末装置３、４に格納されている監視端末用プログラムのプログラム書換え状態を少なくとも監視する監視センター５と、前記監視端末が使用しているプログラムのバージョンが前記監視端末毎に管理され、前記監視端末用の書換えプログラムが格納されたプログラム管理データベース６Ａ及びビル毎に設置された機器１、２の保守作業予定日が格納された保守日情報データベース６Ｂを有する情報センター６とを含み、前記監視端末装置３、４に格納されている監視端末用プログラムを、情報センター６から監視端末装置３、４に送信されてきた書換えプログラムに書換える書換え日時を、機器１、２の保守作業予定日に合わせて、設定するように構成されている。また、監視端末装置３、４と遠隔地に設置された監視センター５及び情報センター６とは、電話回線などからなる通信回線７を介して通信可能に接続されている。ここで、ビルには、ホテル、マンション、駅舎など機器１、２が設置されている建造物すべてが含まれるものとする。また、機器１、２には、図１に示す昇降機制御装置に限定させることなく、空調機器、照明機器、給排水機器など、ビルに設置されるところの動作状態を監視する必要がある機器類のすべてが含まれるものとする。
【００１３】
情報センター６は、図１に示すように、前記監視端末装置が使用しているプログラムのバージョンが前記監視端末装置毎に管理され、監視端末用の書換えプログラムが格納されたプログラム管理データベース６Ａと、ビル毎に設置された機器１、２の保守作業予定日が格納された保守日情報データベース６Ｂと、この保守日情報データベース６Ｂからの保守作業予定日に基づき前記監視端末用の書換えプログラムの書換え開始日時を作成する書換え開始日時作成部６Ｃと、この書換え開始日時作成部６Ｃにより作成された書換え開始日時及びプログラム管理データベース６Ａから抽出した監視端末用の書換えプログラムを送信するデータ送信部６Ｄと、このデータ送信部６Ｄから送信されてきた書換え開始日時及び書換えプログラムを各現場に設置された監視端末装置３、４に通信回線７を介して送信するための通信部６Ｅが、少なくとも設けられている。なお、保守日情報データベース６Ｂには、機器１、２を設置した現場毎に、保守作業予定日が格納されるようにしてある。
【００１４】
書換え開始日時は、機器１、２を保守する保守作業者の移動時間、すなわち、保守作業者が所属する会社などの出勤拠点若しくは保守作業者の自宅から機器１、２が設置されている現場までの移動時間を考慮して、前記保守作業開始日前の日時となるように設定されている。これにより、保守作業者が機器１、２の設置現場に到着したときには、監視端末用の書換えプログラムの書換え作業が終了しており、書換え作業に影響されることなく、機器１、２の保守作業を実行させることができる。なお、本実施形態例では、機器１、２の保守点検開始前の数時間前を、監視端末用の書換えプログラムの書換え開始日時となるように設定してある。
【００１５】
監視端末装置３、４は、図１に示すように、情報センター６から送信されてきた書換え開始日時及び書換えプログラムを受信するための通信部３Ａ、４Ａと、エレベーター制御装置などの機器１、２を監視する機器監視部３Ｂ、４Ｂとから少なくとも構成されている。監視端末装置３、４の機器監視部３Ｂ、４Ｂでは、その機器監視部３Ｂ、４Ｂに格納されている監視端末用のプログラムを通信部３Ａ、４Aで受信した書換えプログラムに、通信部３Ａ、４Aで受信した書換え開始日時に従って書換える。そして、その書換え結果は、通信部３Ａ、４Ａから通信回線７を介して、監視センター５に送信されるようにしてある。監視センター５から送信されてきた書換え結果が、異常である場合には、機器１、２の保守作業のために現場に出動した保守作業者に、監視センター５から復旧作業指令が送信されるようにしてある。
【００１６】
次に、上記一実施形態に係る監視端末用プログラムの書換えシステムによる書換え手順を、図２に基づき、説明する。
【００１７】
まず、図２のステップ１に示すように、前記監視端末装置が使用しているプログラムのバージョンが前記監視端末装置毎に管理され、監視端末用の書換えプログラムが格納されたプログラム管理データベース６Ａで、書換えプログラムのバージョンと異なるバージョンを使用している前記監視端末装置を抽出し、これを書換えプログラム送信先の監視端末装置３、４として特定(選定)した後、図２のステップ２に進む。
【００１８】
図２のステップ２においては、図２のステップ１で特定した監視端末装置３、４が監視する機器１、２が設置されている現場の保守作業予定日を、情報センター６の保守日情報データベース６Ｂから抽出する。その後、保守日情報データベース６Bから抽出された保守作業予定日に基づき、情報センター６の書換え開始日時作成部６Ｃにて、図２のステップ３に示すように、書換えプログラムの書換え開始日時を決定して、書換え開始日時作成部６Ｃに保存し、図２のステップ４に進む。
【００１９】
図２のステップ４において、情報センター６のデータ送信部６Ｄにより、図２のステップ１で特定した監視端末装置３、４に送信する書換えプログラムをプログラム管理データベース６Ａから、かつ、その書換えプログラムの書換え開始日時のデータを書換え開始日時作成部６Ｃから、それぞれ抽出して、通信部６Ｅに送信される。
【００２０】
次いで、情報センター６の通信部６Ｅからは、図２のステップ５に示すように、プログラム管理データベース６Ａから抽出された書換えプログラムと書換え開始日時作成部６Ｃから抽出された書換え開始日時のデータが、通信回線７を介して、監視端末装置３、４に送信される。
【００２１】
次いで、図２のステップ６に示すように、情報センター６から送信されてきた書換えプログラムと書換え開始日時のデータが、監視端末装置３、４の通信部３Ａ、４Ａにて受信完了するまで、待機する。そして、受信完了後は、図２のステップ７に進み、プログラムの書換えを、書換え開始日時になるまで待機する。その後、書換え開始日時になると、図２のステップ８に示すように、監視端末装置３、４のプログラムを書換えプログラムに書換えが開始し、その書換えが、完了するまで、図２のステップ９に示すように、実行される。
【００２２】
図２のステップ９において、書換えプログラムの書換えが完了すると、図２のステップ１０に進み、プログラム書換え結果が監視センター５に通報される。その後、図２のステップ１１に進む、監視センター５に通報されたプログラム書換え結果につき、監視センター５にて、その書換えが正常に終了したか否かが、判定される。
【００２３】
図２のステップ１１において、プログラム書換え結果が異常と判定された場合には、図２のステップ１２に進み、現地に出動している保守作業者に対して復旧作業の指示を行い、その保守作業者にプログラム書換えの異常の復旧作業を行わせることで、プログラム書換えが全て終了する。また、図２のステップ１１において、プログラム書換え結果が正常と判定された場合には、プログラム書換えが全て終了する。
【００２４】
以上のように、上記構成の監視端末用プログラムの書換えシステムによれば、監視端末装置３、４に送信されてきた書換えプログラムに書換える書換え日時を、機器１、２の保守作業予定日に合わせて設定するようにしたので、万一、プログラム書換え異常が発生したとしても、その異常を直す復旧作業を、機器１、２の保守作業と合わせて行うことができ、その異常を直す復旧作業だけのために監視端末装置３、４が設置されている現場に保守作業者が出動しなくてもよく、その出動のための交通費などの費用を省くことができ、保守作業費の増大を招くことがないとともに、保守作業者の労力を増大させることがない。
【００２５】
特に、離島に建設されたビルに設置されている昇降機制御装置などの機器１、２を監視する監視端末装置３、４の監視端末用プログラムの書換えに異常が発生した場合、その異常を直す復旧作業の指示を受けた後、保守作業者が出動したのでは、機器１、２が設置されている現場に到着するまでの時間が掛かるため、長時間に亘って機器１、２の監視ができなくなるという不具合が生じたり、高額の出張旅費等が掛かったりするという不具合が生じるようになるが、その点、上記構成の監視端末用プログラムの書換えシステムによれば、機器１、２を定期的に保守点検するための出張の際に、しかも、機器１、２の保守点検開始前の短い時間の間に異常を直す復旧作業を行うことができるので、上記２つの不具合が生じない。
【００２６】
さらに、上記構成の監視端末用プログラムの書換えシステムによれば、監視端末装置３、４に送信されてきた書換えプログラムの書換え日時を、機器１、２の保守点検開始前の日時に設定することにより、万一、プログラム書換え異常が発生したとしても、機器１、２の保守作業に影響を与えることなく、プログラム書換え異常を直す復旧作業を行うことができる。
【００２７】
上記実施形態例では、情報センター６を監視センター５から離れた場所に設置しているが、監視センター５内に情報センター６を設けるようにするようにすることも可能である。また、機器１、２は、上記実施形態例では、２個であるがこれに限定されるものではなく、３個以上であってもよい。
【図面の簡単な説明】
【００２８】
【図１】本発明の一実施形態に係り、監視端末用プログラムの書換えシステム全体の機能ブロック図である。
【図２】本発明の一実施形態に係り、監視端末用プログラムの書換えシステムによる書換え手順を示すフローチャートである。
【００２９】
１、２  機器
３、４  監視端末装置
３Ａ、４Ａ  通信部
３Ｂ、４Ｂ  機器監視部
５    監視センター
６    情報センター
６Ａ  プログラム管理データベース
６Ｂ  保守日情報データベース
６Ｃ  書換え開始日時作成部
６Ｄ  データ送信部
６Ｅ  通信部
７    通信回線
【図１】
2008072330.tif 000003
【図２】
2008072330.tif 000004